(57)【要約】【課題】本発明は、アクティブマトリクス型有機発光ダイオードパネルの駆動回路及び駆動方法を提供する。【解決手段】本発明の駆動回路は、アクティブマトリクス型有機発光ダイオードパネルと、それぞれアクティブマトリクス型有機発光ダイオードパネルと電気的に接続されたゲート駆動器及びソース駆動器と、それぞれソース駆動器と電気的に接続されたタイミングコントローラー及びプログラマブルガンマ補正バッファ回路チップとからなる。タイミングコントローラーは、ゲート駆動器及びプログラマブルガンマ補正バッファ回路チップとそれぞれ電気的に接続されるとともに、二組のゲート制御信号によってゲート駆動器を制御する。ソース駆動器はデータ信号をアクティブマトリクス型有機発光ダイオードパネルに提供する。データ信号は複数個のデータフレームからなり、各データフレームは同等の時間を有する複数個のサブデータフレームからなる。【選択図】図２
2017504049.tif 000002
【特許請求の範囲】
【請求項１】
アクティブマトリクス型有機発光ダイオードパネルと、前記アクティブマトリクス型有機発光ダイオードパネルと電気的に接続されたゲート駆動器と、前記アクティブマトリクス型有機発光ダイオードパネルと電気的に接続されたソース駆動器と、前記ソース駆動器と電気的に接続されたタイミングコントローラーと、前記ソース駆動器と電気的に接続されたプログラマブルガンマ補正バッファ回路チップとからなる、アクティブマトリクス型有機発光ダイオードパネル駆動回路であって、
前記タイミングコントローラーは、更に前記ゲート駆動器及びプログラマブルガンマ補正バッファ回路チップとそれぞれ電気的に接続されるとともに、
前記タイミングコントローラーは、二組のゲート制御信号によって前記ゲート駆動器を制御し、
前記ソース駆動器は、データ信号を前記アクティブマトリクス型有機発光ダイオードパネルに提供し、
前記データ信号は、複数個のデータフレームからなり、
一つ一つの前記データフレームは、同等の時間を有する複数個のサブデータフレームからなることを特徴とする、アクティブマトリクス型有機発光ダイオードパネル駆動回路。
【請求項２】
更に、前記アクティブマトリクス型有機発光ダイオードパネルは、複数個の内部画素駆動回路からなり、
一つ一つの前記内部画素駆動回路は、第一薄膜トランジスタと、第二薄膜トランジスタと、蓄積容量と、ゲート線と、データ線とからなり、
前記第一薄膜トランジスタは、第一ゲート・第一ドレイン・第一ソースを有し、
前記第二薄膜トランジスタは、第二ゲート・第二ドレイン・第二ソースを有し、
前記第一ゲートは、前記ゲート線と電気的に接続され、
前記第一ソースは、前記データ線と電気的に接続され、
前記第一ドレインは、前記第二ゲート・蓄積容量の一端とそれぞれ電気的に接続され、
前記蓄積容量の他端及び第二ソースは、駆動電源と接続されるために用いられ、
前記第二ドレインは、有機発光ダイオードと接続されるために用いられることを特徴とする、請求項１に記載のアクティブマトリクス型有機発光ダイオードパネル駆動回路。
【請求項３】
更に、前記ゲート駆動器は、走査信号を前記アクティブマトリクス型有機発光ダイオードパネルに提供し、
前記ゲート駆動器は、ゲート制御回路と、前記ゲート制御回路と電気的に接続されたゲート駆動回路とからなり、
前記ゲート制御回路は、前記タイミングコントローラーと電気的に接続され、
前記ゲート駆動回路は、前記アクティブマトリクス型有機発光ダイオードパネルと電気的に接続され、
前記ゲート駆動回路は、複数個のゲート駆動チップからなり、
前記二組のゲート制御信号は、一組目のゲート制御信号と二組目のゲート制御信号に分けられ、
前記一組目のゲート制御信号は、第一開始制御信号と、第一クロック制御信号と、第一イネーブル制御信号とからなり、
前記二組目のゲート制御信号は、第二開始制御信号と、第二クロック制御信号と、第二イネーブル制御信号とからなり、
前記一組目のゲート制御信号は、前記ゲート駆動器を制御して前記アクティブマトリクス型有機発光ダイオードパネルの充電を行うために用いられ、
前記二組目のゲート制御信号は、前記ゲート駆動器を制御して前記アクティブマトリクス型有機発光ダイオードパネルの放電を行うために用いられることを特徴とする、請求項１に記載のアクティブマトリクス型有機発光ダイオードパネル駆動回路。
【請求項４】
更に、前記ソース駆動器は、ソース制御回路と、前記ソース制御回路と電気的に接続されたソース駆動回路とからなり、
前記ソース制御回路は、前記タイミングコントローラーと電気的に接続され、
前記ソース駆動回路は、前記アクティブマトリクス型有機発光ダイオードパネルと電気的に接続され、
前記ソース駆動回路は、複数個のソース駆動チップからなり、
前記タイミングコントローラーは、二つのソース制御信号によって前記ソース駆動器を制御し、
前記二つのソース制御信号は、低電圧差動信号及びソース開始制御信号に分けられることを特徴とする、請求項１に記載のアクティブマトリクス型有機発光ダイオードパネル駆動回路。
【請求項５】
更に、前記アクティブマトリクス型有機発光ダイオードパネル駆動回路には、前記タイミングコントローラーと電気的に接続されたマルチプレクサーが設けられ、
前記マルチプレクサーは、ハイレベル電圧入力ピン・ローレベル電圧入力ピン・イネーブル制御信号入力ピン・選択的出力ピンを有し、
前記プログラマブルガンマ補正バッファ回路チップは、スタティック高電圧ピンを有し、
前記スタティック高電圧ピン上の電圧は、前記プログラマブルガンマ補正バッファ回路チップ出力ピン上の電圧よりも恒常的に高いか、或は等しく、
前記イネーブル制御信号入力ピンは、前記タイミングコントローラーと電気的に接続され、
前記選択的出力ピンは、前記プログラマブルガンマ補正バッファ回路チップのスタティック高電圧ピンと電気的に接続され、
前記ハイレベル電圧入力ピンは、ハイレベル電圧信号を入力するために用いられ、
前記ローレベル電圧入力ピンは、ローレベル電圧信号を入力するために用いられ、
前記ローレベル電圧信号は、０Ｖであり、
前記タイミングコントローラーがソースイネーブル制御信号を前記マルチプレクサーへ出力するとともに、前記ソースイネーブル制御信号によって制御された前記マルチプレクサーが０Ｖ電圧信号を前記プログラマブルガンマ補正バッファ回路チップのスタティック高電圧ピンへ向けて出力した時、
前記プログラマブルガンマ補正バッファ回路チップの出力ピンが出力する電圧は、０Ｖになり、
前記プログラマブルガンマ補正バッファ回路チップの出力ピンは、第一から第十四までの出力ピンからなることを特徴とする、請求項１に記載のアクティブマトリクス型有機発光ダイオードパネル駆動回路。
【請求項６】
更に、一つ一つの前記データフレームは、同等の時間を有する八個のサブデータフレームからなり、
前記アクティブマトリクス型有機発光ダイオードパネル駆動回路の駆動方式は、パルス幅変調方式であることを特徴とする、請求項１に記載のアクティブマトリクス型有機発光ダイオードパネル駆動回路。
【請求項７】
アクティブマトリクス型有機発光ダイオードパネルと、前記アクティブマトリクス型有機発光ダイオードパネルと電気的に接続されたゲート駆動器と、前記アクティブマトリクス型有機発光ダイオードパネルと電気的に接続されたソース駆動器と、前記ソース駆動器と電気的に接続されたタイミングコントローラーと、前記ソース駆動器と電気的に接続されたプログラマブルガンマ補正バッファ回路チップとからなる、アクティブマトリクス型有機発光ダイオードパネル駆動回路であって、
前記タイミングコントローラーは、更に前記ゲート駆動器及びプログラマブルガンマ補正バッファ回路チップとそれぞれ電気的に接続されるとともに、
前記タイミングコントローラーは、二組のゲート制御信号によって前記ゲート駆動器を制御し、
前記ソース駆動器は、データ信号を前記アクティブマトリクス型有機発光ダイオードパネルに提供し、
前記データ信号は、複数個のデータフレームからなり、
一つ一つの前記データフレームは、同等の時間を有する複数個のサブデータフレームからなり、
更に、前記アクティブマトリクス型有機発光ダイオードパネルは、複数個の内部画素駆動回路からなり、
一つ一つの前記内部画素駆動回路は、第一薄膜トランジスタと、第二薄膜トランジスタと、蓄積容量と、ゲート線と、データ線とからなり、
前記第一薄膜トランジスタは、第一ゲート・第一ドレイン・第一ソースを有し、
前記第二薄膜トランジスタは、第二ゲート・第二ドレイン・第二ソースを有し、
前記第一ゲートは、前記ゲート線と電気的に接続され、
前記第一ソースは、前記データ線と電気的に接続され、
前記第一ドレインは、前記第二ゲート・蓄積容量の一端とそれぞれ電気的に接続され、
前記蓄積容量の他端及び第二ソースは、駆動電源と接続されるために用いられ、
前記第二ドレインは、有機発光ダイオードと接続されるために用いられることを特徴とする、アクティブマトリクス型有機発光ダイオードパネル駆動回路。
【請求項８】
更に、前記ゲート駆動器は、走査信号を前記アクティブマトリクス型有機発光ダイオードパネルに提供し、
前記ゲート駆動器は、ゲート制御回路と、前記ゲート制御回路と電気的に接続されたゲート駆動回路とからなり、
前記ゲート制御回路は、前記タイミングコントローラーと電気的に接続され、
前記ゲート駆動回路は、前記アクティブマトリクス型有機発光ダイオードパネルと電気的に接続され、
前記ゲート駆動回路は、複数個のゲート駆動チップからなり、
前記二組のゲート制御信号は、一組目のゲート制御信号と二組目のゲート制御信号に分けられ、
前記一組目のゲート制御信号は、第一開始制御信号と、第一クロック制御信号と、第一イネーブル制御信号とからなり、
前記二組目のゲート制御信号は、第二開始制御信号と、第二クロック制御信号と、第二イネーブル制御信号とからなり、
前記一組目のゲート制御信号は、前記ゲート駆動器を制御して前記アクティブマトリクス型有機発光ダイオードパネルの充電を行うために用いられ、
前記二組目のゲート制御信号は、前記ゲート駆動器を制御して前記アクティブマトリクス型有機発光ダイオードパネルの放電を行うために用いられることを特徴とする、請求項７に記載のアクティブマトリクス型有機発光ダイオードパネル駆動回路。
【請求項９】
更に、前記ソース駆動器は、ソース制御回路と、前記ソース制御回路と電気的に接続されたソース駆動回路とからなり、
前記ソース制御回路は、前記タイミングコントローラーと電気的に接続され、
前記ソース駆動回路は、前記アクティブマトリクス型有機発光ダイオードパネルと電気的に接続され、
前記ソース駆動回路は、複数個のソース駆動チップからなり、
前記タイミングコントローラーは、二つのソース制御信号によって前記ソース駆動器を制御し、
前記二つのソース制御信号は、低電圧差動信号及びソース開始制御信号に分けられることを特徴とする、請求項７に記載のアクティブマトリクス型有機発光ダイオードパネル駆動回路。
【請求項１０】
更に、前記アクティブマトリクス型有機発光ダイオードパネル駆動回路には、前記タイミングコントローラーと電気的に接続されたマルチプレクサーが設けられ、
前記マルチプレクサーは、ハイレベル電圧入力ピン・ローレベル電圧入力ピン・イネーブル制御信号入力ピン・選択的出力ピンを有し、
前記プログラマブルガンマ補正バッファ回路チップは、スタティック高電圧ピンを有し、
前記スタティック高電圧ピン上の電圧は、前記プログラマブルガンマ補正バッファ回路チップ出力ピン上の電圧よりも恒常的に高いか、或は等しく、
前記イネーブル制御信号入力ピンは、前記タイミングコントローラーと電気的に接続され、
前記選択的出力ピンは、前記プログラマブルガンマ補正バッファ回路チップのスタティック高電圧ピンと電気的に接続され、
前記ハイレベル電圧入力ピンは、ハイレベル電圧信号を入力するために用いられ、
前記ローレベル電圧入力ピンは、ローレベル電圧信号を入力するために用いられ、
前記ローレベル電圧信号は、０Ｖであり、
前記タイミングコントローラーがソースイネーブル制御信号を前記マルチプレクサーへ出力するとともに、前記ソースイネーブル制御信号によって制御された前記マルチプレクサーが０Ｖ電圧信号を前記プログラマブルガンマ補正バッファ回路チップのスタティック高電圧ピンへ向けて出力した時、
前記プログラマブルガンマ補正バッファ回路チップの出力ピンが出力する電圧は、０Ｖになり、
前記プログラマブルガンマ補正バッファ回路チップの出力ピンは、第一から第十四までの出力ピンからなることを特徴とする、請求項７に記載のアクティブマトリクス型有機発光ダイオードパネル駆動回路。
【請求項１１】
更に、一つ一つの前記データフレームは、同等の時間を有する八個のサブデータフレームからなり、
前記アクティブマトリクス型有機発光ダイオードパネル駆動回路の駆動方式は、パルス幅変調方式であることを特徴とする、請求項７に記載のアクティブマトリクス型有機発光ダイオードパネル駆動回路。
【請求項１２】
アクティブマトリクス型有機発光ダイオードパネルの駆動方法であって、
前記駆動方法は、以下の手順１０１から手順１０５を含み、
手順１０１において、
アクティブマトリクス型有機発光ダイオードパネル駆動回路のタイミングコントローラーは、一組目のゲート制御信号を前記アクティブマトリクス型有機発光ダイオードパネル駆動回路のゲート駆動器に提供し、
前記ゲート駆動器は、前記タイミングコントローラーによる制御の下で、第一走査信号を前記アクティブマトリクス型有機発光ダイオードパネルに提供し、
手順１０２において、前記タイミングコントローラーは、低電圧差動信号及びソース開始制御信号を前記アクティブマトリクス型有機発光ダイオードパネル駆動回路のソース駆動器に提供するとともに、ソースイネーブル制御信号をプログラマブルガンマ補正バッファ回路チップに提供し、
前記ソースイネーブル制御信号は、前記プログラマブルガンマ補正バッファ回路チップの出力ハイレベル電圧信号が前記ソース駆動器へ送られるように制御し、
前記ソース駆動器は、前記タイミングコントローラー及びプログラマブルガンマ補正バッファ回路チップによる制御の下で、データ信号を前記アクティブマトリクス型有機発光ダイオードパネルに提供し、
前記データ信号は、複数個のデータフレームからなり、
一つ一つの前記データフレームは、同等の時間を有する複数個のサブデータフレームからなり、
手順１０３において、
前記第一走査信号及びデータ信号に基づいて、前記アクティブマトリクス型有機発光ダイオードパネルにおける相対する内部画素駆動回路は、対応する蓄積容量に対して充電を行い、更に前記内部画素駆動回路と対応する画素を充電し、
手順１０４において、
前記タイミングコントローラーは、二組目のゲート制御信号を前記ゲート駆動器に提供し、
前記ゲート駆動器は、前記タイミングコントローラーによる制御の下で、第二走査信号を前記アクティブマトリクス型有機発光ダイオードパネルに提供し、
手順１０５において、
前記ソースイネーブル制御信号は、前記プログラマブルガンマ補正バッファ回路チップの出力ローレベル電圧信号が前記ソース駆動器へ送られるように制御し、
前記第二走査信号に基づいて、前記ソース駆動器は、前記タイミングコントローラー及びプログラマブルガンマ補正バッファ回路チップによる制御の下で、前記内部画素駆動回路における蓄積容量が放電するように制御し、更に前記内部画素駆動回路と対応する画素放電を制御することを特徴とする、アクティブマトリクス型有機発光ダイオードパネルの駆動方法。
【請求項１３】
更に、前記アクティブマトリクス型有機発光ダイオードパネル駆動回路は、アクティブマトリクス型有機発光ダイオードパネルと、前記アクティブマトリクス型有機発光ダイオードパネルと電気的に接続されたゲート駆動器と、前記アクティブマトリクス型有機発光ダイオードパネルと電気的に接続されたソース駆動器と、前記ソース駆動器と電気的に接続されたタイミングコントローラーと、前記ソース駆動器と電気的に接続されたプログラマブルガンマ補正バッファ回路チップとからなり、
前記タイミングコントローラーは、更に前記ゲート駆動器及びプログラマブルガンマ補正バッファ回路チップとそれぞれ電気的に接続され、
前記アクティブマトリクス型有機発光ダイオードパネルは、複数個の内部画素駆動回路からなり、
一つ一つの前記内部画素駆動回路は、第一薄膜トランジスタと、第二薄膜トランジスタと、蓄積容量と、ゲート線と、データ線とからなり、
前記第一薄膜トランジスタは、第一ゲート・第一ドレイン・第一ソースを有し、
前記第二薄膜トランジスタは、第二ゲート・第二ドレイン・第二ソースを有し、
前記第一ゲートは、前記ゲート線と電気的に接続され、
前記第一ソースは、前記データ線と電気的に接続され、
前記第一ドレインは、前記第二ゲート・蓄積容量の一端とそれぞれ電気的に接続され、
前記蓄積容量の他端及び第二ソースは、駆動電源と接続されるために用いられ、
前記第二ドレインは、有機発光ダイオードと接続されるために用いられ、
前記ゲート駆動器は、ゲート制御回路と、前記ゲート制御回路と電気的に接続されたゲート駆動回路とからなり、
前記ゲート制御回路は、前記タイミングコントローラーと電気的に接続され、
前記ゲート駆動回路は、前記アクティブマトリクス型有機発光ダイオードパネルと電気的に接続され、
前記ゲート駆動回路は、複数個のゲート駆動チップからなり、
前記一組目のゲート制御信号は、第一開始制御信号と、第一クロック制御信号と、第一イネーブル制御信号とからなり、
前記二組目のゲート制御信号は、第二開始制御信号と、第二クロック制御信号と、第二イネーブル制御信号とからなり、
前記ソース駆動器は、ソース制御回路と、前記ソース制御回路と電気的に接続されたソース駆動回路とからなり、
前記ソース制御回路は、前記タイミングコントローラーと電気的に接続され、
前記ソース駆動回路は、前記アクティブマトリクス型有機発光ダイオードパネルと電気的に接続され、
前記ソース駆動回路は、複数個のソース駆動チップからなることを特徴とする、請求項１２に記載のアクティブマトリクス型有機発光ダイオードパネルの駆動方法。
【請求項１４】
更に、前記アクティブマトリクス型有機発光ダイオードパネル駆動回路には、タイミングコントローラーと電気的に接続されたマルチプレクサーが設けられ、
前記マルチプレクサーは、ハイレベル電圧入力ピン・ローレベル電圧入力ピン・イネーブル制御信号入力ピン・選択的出力ピンを有し、
前記プログラマブルガンマ補正バッファ回路チップは、スタティック高電圧ピンを有し、
前記スタティック高電圧ピン上の電圧は、前記プログラマブルガンマ補正バッファ回路チップ出力ピン上の電圧よりも恒常的に高いか、或は等しく、
前記イネーブル制御信号入力ピンは、前記タイミングコントローラーと電気的に接続され、
前記選択的出力ピンは、前記プログラマブルガンマ補正バッファ回路チップのスタティック高電圧ピンと電気的に接続され、
前記ハイレベル電圧入力ピンは、ハイレベル電圧信号を入力するために用いられ、
前記ローレベル電圧入力ピンは、ローレベル電圧信号を入力するために用いられ、
前記ローレベル電圧信号は、０Ｖであり、
前記ソースイネーブル制御信号の制御によって、前記ハイレベル電圧信号或はローレベル電圧信号のいずれか一つが前記選択的出力ピンの出力信号として選択され、
前記プログラマブルガンマ補正バッファ回路チップにおいて、スタティック高電圧ピンが出力する電圧と出力ピンが出力する電圧の変化は一致することを特徴とする、請求項１２に記載のアクティブマトリクス型有機発光ダイオードパネルの駆動方法。
【請求項１５】
更に、一つ一つの前記データフレームは、同等の時間を有する八個のサブデータフレームからなり、
前記アクティブマトリクス型有機発光ダイオードパネル駆動回路の駆動方式は、パルス幅変調方式であることを特徴とする、請求項１２に記載のアクティブマトリクス型有機発光ダイオードパネルの駆動方法。
【発明の詳細な説明】
【技術分野】
【０００１】
本発明は、平面表示技術に関し、特に、アクティブマトリクス型有機発光ダイオードパネルの駆動回路及び駆動方法に関する。
【背景技術】
【０００２】
平面ディスプレイは薄型ボディ・省エネ・放射線が無い等の多くの長所を備えており、幅広く応用されている。現在の平面ディスプレイは、主に液晶表示器（Ｌｉｑｕｉｄ  Ｃｒｙｓｔａｌ  Ｄｉｓｐｌａｙ、ＬＣＤ）、及び有機ＥＬ部品（Ｏｒｇａｎｉｃ  Ｅｌｅｃｔｒｏｌｕｍｉｎｅｓｃｅｎｃｅ  Ｄｅｖｉｃｅ、ＯＥＬＤ）或は有機発光ダイオード（Ｏｒｇａｎｉｃ  Ｌｉｇｈｔ  Ｅｍｉｔｔｉｎｇ  Ｄｉｏｄｅ、ＯＬＥＤ）と呼ばれる素子によるものがある。
【０００３】
有機ＥＬ部品は、自発光・高輝度・広視野角・高コントラスト・折り曲げ可能・低消費電力等の特性を備えているため、幅広い注目を集めるとともに、新世代の表示方式として、既に従来の液晶表示装置に取って代わってきており、携帯電話のモニター・パソコン用ディスプレイ・フルカラーテレビ等の分野に幅広く応用されている。有機ＥＬ部品は、従来の液晶表示器と異なり、バックライトを必要とせず、直接ガラス基板上に極薄い有機材料塗布層が設けられることで、電流が流れた時に前記有機材料塗布層が発光する。
【０００４】
従来の有機発光ダイオードを駆動方式によって分類すると、パッシブマトリクス型有機発光ダイオード（Ｐａｓｓｉｖｅ−ｍａｔｒｉｘ  ｏｒｇａｎｉｃ  ｌｉｇｈｔ  ｅｍｉｔｔｉｎｇ  ｄｉｏｄｅ、ＰＭＯＬＥＤ）とアクティブマトリクス型有機発光ダイオード（Ａｃｔｉｖｅ−ｍａｔｒｉｘ  ｏｒｇａｎｉｃ  ｌｉｇｈｔ  ｅｍｉｔｔｉｎｇ  ｄｉｏｄｅ、ＡＭＯＬＥＤ）に分けられる。平面表示における製造工程の技術と材料の進歩により、アクティブマトリクス型有機発光ダイオードは既に未来型平面ディスプレイの主流になりつつある。
【０００５】
図１を参照する。図は、従来のアクティブマトリクス型有機発光ダイオードパネルの駆動回路を示している。前記駆動回路は、二つの薄膜トランジスタ１００・２００と一つの蓄積容量３００とからなるとともに、蓄積容量３００の充電後に制御電圧を第二薄膜トランジスタ２００のゲートに印加することにより、第二薄膜トランジスタ２００が飽和領域となり、これによりアクティブマトリクス型有機発光ダイオードパネルに電流が提供されて発光する。前記駆動回路は、構造が簡単であるものの、第二薄膜トランジスタ２００が長時間にわたって電子の影響を受けることで、第二薄膜トランジスタ２００のスレッショルド電圧Ｖｔｈに影響を与え、更にはアクティブマトリクス型有機発光ダイオードパネルの電流を変えてしまう。このため、アクティブマトリクス型有機発光ダイオードパネルの一致性（ｕｎｉｆｏｒｍｉｔｙ）が影響を受けて、アクティブマトリクス型有機発光ダイオードパネルの表示品質を低下させてしまう。
【発明の概要】
【発明が解決しようとする課題】
【０００６】
よって本発明は、データ信号におけるデータフレームを同等の時間を有する八個のサブフレーム信号に分割するとともに、パルス幅変調駆動方式によって蓄積容量に対する充電を行うことで、アクティブマトリクス型有機発光ダイオードパネルの一致性を高めて、アクティブマトリクス型有機発光ダイオードパネルの表示品質を向上させる、アクティブマトリクス型有機発光ダイオードパネル駆動回路を提供することを目的とする。
【０００７】
また本発明は、パルス幅変調駆動方式を用いて内部画素駆動回路の蓄積容量に対する充電を行うことで、アクティブマトリクス型有機発光ダイオードパネルの一致性を高めて、アクティブマトリクス型有機発光ダイオードパネルの表示品質を向上させる、アクティブマトリクス型有機発光ダイオードパネル駆動方法を提供することを目的とする。
【課題を解決するための手段】
【０００８】
上述の目的を達成するために、本発明が提供するアクティブマトリクス型有機発光ダイオードパネル駆動回路は、アクティブマトリクス型有機発光ダイオードパネルと、前記アクティブマトリクス型有機発光ダイオードパネルと電気的に接続されたゲート駆動器と、前記アクティブマトリクス型有機発光ダイオードパネルと電気的に接続されたソース駆動器と、前記ソース駆動器と電気的に接続されたタイミングコントローラーと、前記ソース駆動器と電気的に接続されたプログラマブルガンマ補正バッファ回路チップとからなる。前記タイミングコントローラーは、更にゲート駆動器及びプログラマブルガンマ補正バッファ回路チップとそれぞれ電気的に接続される。また前記タイミングコントローラーは、二組のゲート制御信号によって前記ゲート駆動器を制御する。前記ソース駆動器は、データ信号をアクティブマトリクス型有機発光ダイオードパネルに提供する。前記データ信号は、複数個のデータフレームからなり、一つ一つの前記データフレームは同等の時間を有する複数個のサブデータフレームからなる。
【０００９】
前記アクティブマトリクス型有機発光ダイオードパネルは、複数個の内部画素駆動回路からなり、一つ一つの内部画素駆動回路は、第一薄膜トランジスタと、第二薄膜トランジスタと、蓄積容量と、ゲート線と、データ線とからなる。前記第一薄膜トランジスタは第一ゲート・第一ドレイン・第一ソースを有し、前記第二薄膜トランジスタは第二ゲート・第二ドレイン・第二ソースを有する。前記第一ゲートはゲート線と電気的に接続され、前記第一ソースはデータ線と電気的に接続され、前記第一ドレインは第二ゲート・蓄積容量の一端とそれぞれ電気的に接続される。前記蓄積容量の他端及び第二ソースは駆動電源と接続されるために用いられ、前記第二ドレインは有機発光ダイオードと接続されるために用いられる。
【００１０】
前記ゲート駆動器は、走査信号を前記アクティブマトリクス型有機発光ダイオードパネルに提供する。前記ゲート駆動器は、ゲート制御回路と、ゲート制御回路と電気的に接続されたゲート駆動回路とからなる。前記ゲート制御回路はタイミングコントローラーと電気的に接続され、前記ゲート駆動回路は前記アクティブマトリクス型有機発光ダイオードパネルと電気的に接続される。前記ゲート駆動回路は、複数個のゲート駆動チップからなる。
【００１１】
前記二組のゲート制御信号は、一組目のゲート制御信号と二組目のゲート制御信号に分けられる。一組目のゲート制御信号は第一開始制御信号・第一クロック制御信号・第一イネーブル制御信号からなり、二組目のゲート制御信号は第二開始制御信号・第二クロック制御信号・第二イネーブル制御信号からなる。
【００１２】
前記一組目のゲート制御信号は前記ゲート駆動器を制御して前記アクティブマトリクス型有機発光ダイオードパネルの充電を行うために用いられ、前記二組目のゲート制御信号は前記ゲート駆動器を制御して前記アクティブマトリクス型有機発光ダイオードパネルの放電を行うために用いられる。
【００１３】
前記ソース駆動器は、ソース制御回路と、ソース制御回路と電気的に接続されたソース駆動回路とからなる。前記ソース制御回路は前記タイミングコントローラーと電気的に接続され、前記ソース駆動回路は前記アクティブマトリクス型有機発光ダイオードパネルと電気的に接続される。前記ソース駆動回路は、複数個のソース駆動チップからなる。
【００１４】
前記タイミングコントローラーは、二つのソース制御信号によって前記ソース駆動器を制御する。前記二つのソース制御信号は、低電圧差動信号及びソース開始制御信号に分けられる。
【００１５】
更に、タイミングコントローラーと電気的に接続されたマルチプレクサーが設けられる。前記マルチプレクサーは、ハイレベル電圧入力ピン・ローレベル電圧入力ピン・イネーブル制御信号入力ピン・選択的出力ピンを有する。前記プログラマブルガンマ補正バッファ回路チップは、スタティック高電圧ピンを有する。前記スタティック高電圧ピン上の電圧は前記プログラマブルガンマ補正バッファ回路チップ出力ピン上の電圧よりも恒常的に高いか、或は等しい。前記イネーブル制御信号入力ピンは前記タイミングコントローラーと電気的に接続され、前記選択的出力ピンは前記プログラマブルガンマ補正バッファ回路チップのスタティック高電圧ピンと電気的に接続される。前記ハイレベル電圧入力ピンはハイレベル電圧信号を入力するために用いられ、前記ローレベル電圧入力ピンはローレベル電圧信号を入力するために用いられる。前記ローレベル電圧信号は０Ｖである。前記タイミングコントローラーがソースイネーブル制御信号をマルチプレクサーへ出力するとともに、前記ソースイネーブル制御信号によって制御された前記マルチプレクサーが０Ｖ電圧信号を前記プログラマブルガンマ補正バッファ回路チップのスタティック高電圧ピンへ向けて出力した時、前記プログラマブルガンマ補正バッファ回路チップの出力ピンが出力する電圧は０Ｖになる。前記出力ピンは、第一から第十四までの出力ピンからなる。
【００１６】
一つ一つの前記データフレームは、同等の時間を有する八個のサブデータフレームからなる。前記アクティブマトリクス型有機発光ダイオードパネル駆動回路の駆動方式は、パルス幅変調方式である。
【００１７】
また、本発明が提供するアクティブマトリクス型有機発光ダイオードパネル駆動回路は、アクティブマトリクス型有機発光ダイオードパネルと、前記アクティブマトリクス型有機発光ダイオードパネルと電気的に接続されたゲート駆動器と、前記アクティブマトリクス型有機発光ダイオードパネルと電気的に接続されたソース駆動器と、前記ソース駆動器と電気的に接続されたタイミングコントローラーと、前記ソース駆動器と電気的に接続されたプログラマブルガンマ補正バッファ回路チップとからなる。前記タイミングコントローラーは、更にゲート駆動器及びプログラマブルガンマ補正バッファ回路チップとそれぞれ電気的に接続される。また前記タイミングコントローラーは、二組のゲート制御信号によって前記ゲート駆動器を制御する。前記ソース駆動器は、データ信号をアクティブマトリクス型有機発光ダイオードパネルに提供する。前記データ信号は、複数個のデータフレームからなり、一つ一つの前記データフレームは同等の時間を有する複数個のサブデータフレームからなる。
【００１８】
このうち、前記アクティブマトリクス型有機発光ダイオードパネルは、複数個の内部画素駆動回路からなり、一つ一つの内部画素駆動回路は、第一薄膜トランジスタと、第二薄膜トランジスタと、蓄積容量と、ゲート線と、データ線とからなる。前記第一薄膜トランジスタは第一ゲート・第一ドレイン・第一ソースを有し、前記第二薄膜トランジスタは第二ゲート・第二ドレイン・第二ソースを有する。前記第一ゲートはゲート線と電気的に接続され、前記第一ソースはデータ線と電気的に接続され、前記第一ドレインは第二ゲート・蓄積容量の一端とそれぞれ電気的に接続される。前記蓄積容量の他端及び第二ソースは駆動電源と接続されるために用いられ、前記第二ドレインは有機発光ダイオードと接続されるために用いられる。
【００１９】
前記ゲート駆動器は、走査信号を前記アクティブマトリクス型有機発光ダイオードパネルに提供する。前記ゲート駆動器は、ゲート制御回路と、ゲート制御回路と電気的に接続されたゲート駆動回路とからなる。前記ゲート制御回路はタイミングコントローラーと電気的に接続され、前記ゲート駆動回路は前記アクティブマトリクス型有機発光ダイオードパネルと電気的に接続される。前記ゲート駆動回路は、複数個のゲート駆動チップからなる。
【００２０】
前記二組のゲート制御信号は、一組目のゲート制御信号と二組目のゲート制御信号に分けられる。一組目のゲート制御信号は第一開始制御信号・第一クロック制御信号・第一イネーブル制御信号からなり、二組目のゲート制御信号は第二開始制御信号・第二クロック制御信号・第二イネーブル制御信号からなる。前記一組目のゲート制御信号は前記ゲート駆動器を制御して前記アクティブマトリクス型有機発光ダイオードパネルの充電を行うために用いられ、前記二組目のゲート制御信号は前記ゲート駆動器を制御して前記アクティブマトリクス型有機発光ダイオードパネルの放電を行うために用いられる。
【００２１】
前記ソース駆動器は、ソース制御回路と、ソース制御回路と電気的に接続されたソース駆動回路とからなる。前記ソース制御回路は前記タイミングコントローラーと電気的に接続され、前記ソース駆動回路は前記アクティブマトリクス型有機発光ダイオードパネルと電気的に接続される。前記ソース駆動回路は、複数個のソース駆動チップからなる。
【００２２】
前記タイミングコントローラーは、二つのソース制御信号によって前記ソース駆動器を制御する。前記二つのソース制御信号は、低電圧差動信号及びソース開始制御信号に分けられる。
【００２３】
更に、タイミングコントローラーと電気的に接続されたマルチプレクサーが設けられる。前記マルチプレクサーは、ハイレベル電圧入力ピン・ローレベル電圧入力ピン・イネーブル制御信号入力ピン・選択的出力ピンを有する。前記プログラマブルガンマ補正バッファ回路チップは、スタティック高電圧ピンを有する。前記スタティック高電圧ピン上の電圧は、前記プログラマブルガンマ補正バッファ回路チップ出力ピン上の電圧よりも恒常的に高いか、或は等しい。前記イネーブル制御信号入力ピンは前記タイミングコントローラーと電気的に接続され、前記選択的出力ピンは前記プログラマブルガンマ補正バッファ回路チップのスタティック高電圧ピンと電気的に接続される。前記ハイレベル電圧入力ピンはハイレベル電圧信号を入力するために用いられ、前記ローレベル電圧入力ピンはローレベル電圧信号を入力するために用いられる。前記ローレベル電圧信号は０Ｖである。前記タイミングコントローラーがソースイネーブル制御信号をマルチプレクサーへ出力するとともに、前記ソースイネーブル制御信号によって制御された前記マルチプレクサーが０Ｖ電圧信号を前記プログラマブルガンマ補正バッファ回路チップのスタティック高電圧ピンへ向けて出力した時、前記プログラマブルガンマ補正バッファ回路チップの出力ピンが出力する電圧は０Ｖになる。前記出力ピンは、第一から第十四までの出力ピンからなる。
【００２４】
一つ一つの前記データフレームは、同等の時間を有する八個のサブデータフレームからなる。前記アクティブマトリクス型有機発光ダイオードパネル駆動回路の駆動方式は、パルス幅変調方式である。
【００２５】
また、本発明が提供するアクティブマトリクス型有機発光ダイオードパネルの駆動方法は、以下の手順を含む。
【００２６】
手順１０１において、アクティブマトリクス型有機発光ダイオードパネル駆動回路のタイミングコントローラーは、一組目のゲート制御信号を前記アクティブマトリクス型有機発光ダイオードパネル駆動回路のゲート駆動器に提供する。前記ゲート駆動器はタイミングコントローラーによる制御の下で、第一走査信号をアクティブマトリクス型有機発光ダイオードパネルに提供する。
【００２７】
手順１０２において、前記タイミングコントローラーは、低電圧差動信号及びソース開始制御信号を前記アクティブマトリクス型有機発光ダイオードパネル駆動回路のソース駆動器に提供するとともに、ソースイネーブル制御信号をプログラマブルガンマ補正バッファ回路チップに提供する。前記ソースイネーブル制御信号は、前記プログラマブルガンマ補正バッファ回路チップの出力ハイレベル電圧信号がソース駆動器へ送られるように制御する。ソース駆動器はタイミングコントローラー及びプログラマブルガンマ補正バッファ回路チップによる制御の下で、データ信号をアクティブマトリクス型有機発光ダイオードパネルに提供する。前記データ信号は、複数個のデータフレームからなり、一つ一つの前記データフレームは同等の時間を有する複数個のサブデータフレームからなる。
【００２８】
手順１０３において、前記第一走査信号及びデータ信号に基づいて、前記アクティブマトリクス型有機発光ダイオードパネルにおける相対する内部画素駆動回路は、対応する蓄積容量に対して充電を行い、更に前記内部画素駆動回路と対応する画素を充電する。
【００２９】
手順１０４において、前記タイミングコントローラーは、二組目のゲート制御信号をゲート駆動器に提供する。前記ゲート駆動器はタイミングコントローラーによる制御の下で、第二走査信号をアクティブマトリクス型有機発光ダイオードパネルに提供する。
【００３０】
手順１０５において、前記ソースイネーブル制御信号は、前記プログラマブルガンマ補正バッファ回路チップの出力ローレベル電圧信号がソース駆動器へ送られるように制御する。前記第二走査信号に基づいて、ソース駆動器はタイミングコントローラー及びプログラマブルガンマ補正バッファ回路チップによる制御の下で、前記内部画素駆動回路における蓄積容量が放電するように制御し、更に前記内部画素駆動回路と対応する画素放電を制御する。
【００３１】
前記アクティブマトリクス型有機発光ダイオードパネル駆動回路は、アクティブマトリクス型有機発光ダイオードパネルと、前記アクティブマトリクス型有機発光ダイオードパネルと電気的に接続されたゲート駆動器と、前記アクティブマトリクス型有機発光ダイオードパネルと電気的に接続されたソース駆動器と、前記ソース駆動器と電気的に接続されたタイミングコントローラーと、前記ソース駆動器と電気的に接続されたプログラマブルガンマ補正バッファ回路チップとからなる。前記タイミングコントローラーは、更にゲート駆動器及びプログラマブルガンマ補正バッファ回路チップとそれぞれ電気的に接続される。
【００３２】
前記アクティブマトリクス型有機発光ダイオードパネルは、複数個の内部画素駆動回路からなり、一つ一つの内部画素駆動回路は、第一薄膜トランジスタと、第二薄膜トランジスタと、蓄積容量と、ゲート線と、データ線とからなる。前記第一薄膜トランジスタは第一ゲート・第一ドレイン・第一ソースを有し、前記第二薄膜トランジスタは第二ゲート・第二ドレイン・第二ソースを有する。前記第一ゲートはゲート線と電気的に接続され、前記第一ソースはデータ線と電気的に接続され、前記第一ドレインは第二ゲート・蓄積容量の一端とそれぞれ電気的に接続される。前記蓄積容量の他端及び第二ソースは駆動電源と接続されるために用いられ、前記第二ドレインは有機発光ダイオードと接続されるために用いられる。
【００３３】
前記ゲート駆動器は、ゲート制御回路と、ゲート制御回路と電気的に接続されたゲート駆動回路とからなる。前記ゲート制御回路はタイミングコントローラーと電気的に接続され、前記ゲート駆動回路は前記アクティブマトリクス型有機発光ダイオードパネルと電気的に接続される。前記ゲート駆動回路は、複数個のゲート駆動チップからなる。
【００３４】
前記一組目のゲート制御信号は、第一開始制御信号と、第一クロック制御信号と、第一イネーブル制御信号とからなり、二組目のゲート制御信号は、第二開始制御信号と、第二クロック制御信号と、第二イネーブル制御信号とからなる。
【００３５】
前記ソース駆動器は、ソース制御回路と、ソース制御回路と電気的に接続されたソース駆動回路とからなる。前記ソース制御回路は前記タイミングコントローラーと電気的に接続され、前記ソース駆動回路は前記アクティブマトリクス型有機発光ダイオードパネルと電気的に接続される。前記ソース駆動回路は、複数個のソース駆動チップからなる。
【００３６】
前記アクティブマトリクス型有機発光ダイオードパネル駆動回路には、更にタイミングコントローラーと電気的に接続されたマルチプレクサーが設けられる。前記マルチプレクサーは、ハイレベル電圧入力ピン・ローレベル電圧入力ピン・イネーブル制御信号入力ピン・選択的出力ピンを有する。前記プログラマブルガンマ補正バッファ回路チップは、スタティック高電圧ピンを有する。前記スタティック高電圧ピン上の電圧は、前記プログラマブルガンマ補正バッファ回路チップ出力ピン上の電圧よりも恒常的に高いか、或は等しい。前記イネーブル制御信号入力ピンは、前記タイミングコントローラーと電気的に接続される。前記選択的出力ピンは、前記プログラマブルガンマ補正バッファ回路チップのスタティック高電圧ピンと電気的に接続される。前記ハイレベル電圧入力ピンは、ハイレベル電圧信号を入力するために用いられる。前記ローレベル電圧入力ピンは、ローレベル電圧信号を入力するために用いられる。また前記ローレベル電圧信号は０Ｖである。前記ソースイネーブル制御信号の制御によって、ハイレベル電圧信号或はローレベル電圧信号が選択的出力ピンの出力信号として選択される。前記プログラマブルガンマ補正バッファ回路チップにおいて、スタティック高電圧ピンが出力する電圧と出力ピンが出力する電圧は変化が一致する。
【００３７】
一つ一つの前記データフレームは、同等の時間を有する八個のサブデータフレームからなる。前記アクティブマトリクス型有機発光ダイオードパネル駆動回路の駆動方式は、パルス幅変調方式である。
【発明の効果】
【００３８】
以上の構造によってなる本発明は、以下の有益な効果を備える。本発明のアクティブマトリクス型有機発光ダイオードパネルの駆動回路及び駆動方法は、従来の２Ｔ１Ｃ駆動回路を基礎として更にタイミングコントロール回路とプログラマブルガンマ補正バッファ回路が設けられてゲート駆動器とソース駆動器を制御することで、前記ソース駆動器による直接的な放電機能を実現し、これにより放電機能を実現可能な新しいソース駆動器を開発するためのコストを削減する。同時に、パルス幅変調方式をアクティブマトリクス型有機発光ダイオードパネル駆動回路の駆動方式として用いるとともに一つのデータフレーム全体を時間が同等の八個のサブデータフレームに分けることで、２５５グレースケールを実現することが可能であり、加えて、アクティブマトリクス型有機発光ダイオードパネルのスレッショルド電圧Ｖｔｈに影響しないため、アクティブマトリクス型有機発光ダイオードパネルの電流を変化させず、アクティブマトリクス型有機発光ダイオードパネルの一致性を高めて、アクティブマトリクス型有機発光ダイオードパネルの表示品質を向上させることが出来る。
【００３９】
本発明の特徴と技術内容の詳細については、以下の詳説と図を参照されたい。尚、図はあくまで参考及び説明用であり、これにより本発明を制限するものではない。
【図面の簡単な説明】
【００４０】
下記の図を合わせて本発明の具体的実施形態について詳細に説明することで、本発明の技術手法及びその他の有益な効果を詳らかにする。
【図１】従来のアクティブマトリクス型有機発光ダイオードパネルにおける有機発光ダイオードの駆動回路を示した概略図である。
【図２】本発明のアクティブマトリクス型有機発光ダイオードパネル駆動回路の概略図である。
【図３】図２における有機発光ダイオードの内部画素駆動回路を示した概略図である。
【図４】図２におけるゲート制御回路の回路接続を示した概略図である。
【図５】図２におけるタイミングコントローラーとプログラマブルガンマ補正バッファ回路チップの接続を示した概略図である。
【図６】本発明のアクティブマトリクス型有機発光ダイオードパネル駆動回路における八個のサブデータフレームの制御タイミング図である。
【図７】本発明のアクティブマトリクス型有機発光ダイオードパネル駆動回路の駆動方式における制御タイミング図である。
【図８】本発明のアクティブマトリクス型有機発光ダイオードパネルの駆動方法におけるフロー図である。
【発明を実施するための形態】
【００４１】
本発明の技術手法とその効果について詳述するために、以下で本発明の実施例と図を参照しつつ説明する。
【００４２】
（実施例１）
図２から図５までを参照する。本発明が提供するアクティブマトリクス型有機発光ダイオードパネル駆動回路は、アクティブマトリクス型有機発光ダイオードパネル２と、アクティブマトリクス型有機発光ダイオードパネル２と電気的に接続されたゲート駆動器４と、アクティブマトリクス型有機発光ダイオードパネル２と電気的に接続されたソース駆動器６と、ソース駆動器６と電気的に接続されたタイミングコントローラー８と、ソース駆動器６と電気的に接続されたプログラマブルガンマ補正バッファ回路チップ（Ｇａｍｍａ  ＩＣ）１０とからなる。タイミングコントローラー８は、更にゲート駆動器４及びプログラマブルガンマ補正バッファ回路チップ１０とそれぞれ電気的に接続されるとともに、タイミングコントローラー８は二組のゲート制御信号によってゲート駆動器４を制御する。ソース駆動器６は、データ信号をアクティブマトリクス型有機発光ダイオードパネル２に提供する。前記データ信号は、複数個のデータフレームからなり、一つ一つの前記データフレームは同等の時間を有する複数個のサブデータフレームからなる。
【００４３】
アクティブマトリクス型有機発光ダイオードパネル２は、複数個の内部画素駆動回路２０からなる。図３を参照する。本発明は従来の２Ｔ１Ｃ駆動回路を基礎として、パルス幅変調の方式を用いてアクティブマトリクス型有機発光ダイオードパネル２を駆動するとともに、一つ一つのデータフレーム全体を同等の時間を有する複数個のサブデータフレームに分けることによって、必要なグレースケールを実現する。加えて、回路制御を合わせて用いることで、駆動薄膜トランジスタ（第二薄膜トランジスタ２３）のスレッショルド電圧Ｖｔｈに影響しないようにする。一つ一つの内部画素駆動回路２０は、第一薄膜トランジスタ２２と、第二薄膜トランジスタ２３と、蓄積容量２４と、ゲート線２５と、データ線２６とからなる。第一薄膜トランジスタ２２はスイッチ薄膜トランジスタであるとともに、第一ゲートｇ１・第一ドレインｄ１・第一ソースｓ１を有する。第二薄膜トランジスタ２３は駆動薄膜トランジスタであるとともに、第二ゲートｇ２・第二ドレインｄ２・第二ソースｓ２を有する。第一ゲートｇ１はゲート線２５と電気的に接続され、第一ソースｓ１はデータ線２６と電気的に接続され、第一ドレインｄ１は第二ゲートｇ２及び蓄積容量２４の一端と電気的に接続される。蓄積容量２４の他端及び第二ソースｓ２は駆動電源と接続されるために用いられ、第二ドレインｄ２は有機発光ダイオード２７と接続されるために用いられる。
【００４４】
ゲート線２５が選択された時、第一薄膜トランジスタ２２がオンになる。データ線２６の電圧は第一薄膜トランジスタ２２を通して蓄積容量２４を充電し、蓄積容量２４の電圧は第二薄膜トランジスタ２３のドレイン電流を制御する。またゲート線２５が選択されていない時、第一薄膜トランジスタ２２がオフになる。蓄積容量２４に蓄積された電荷は第二薄膜トランジスタ２３の第二ゲートｇ２電圧を維持し続け、これにより第二薄膜トランジスタ２３のフレーム時間内における動作状態が保たれる。
【００４５】
ゲート駆動器４は、一つ一つの内部画素駆動回路２０のゲート線２５といずれも電気的に接続される。ソース駆動器６は、一つ一つの内部画素駆動回路２０のデータ線２６といずれも電気的に接続される。ゲート駆動器４は、走査信号をアクティブマトリクス型有機発光ダイオードパネル２に提供する。ゲート駆動器４は、ゲート制御回路４２と、ゲート制御回路４２と電気的に接続されたゲート駆動回路４４とからなる。ゲート制御回路４２はタイミングコントローラー８と電気的に接続され、ゲート駆動回路４４はアクティブマトリクス型有機発光ダイオードパネル２と電気的に接続される。ゲート駆動回路４４は、複数個のゲート駆動チップ４６からなり、複数個のゲート駆動チップ４６は内部画素駆動回路２０のゲート線２５と電気的に接続されるために用いられる。
【００４６】
前記二組のゲート制御信号は、一組目のゲート制御信号８２と二組目のゲート制御信号８４に分けられる。一組目のゲート制御信号８２は、第一開始制御信号（ＳＴＶ）８２１と、第一クロック制御信号（ＣＫＶ）８２２と、第一イネーブル制御信号（ＯＥ）８２３とからなり、二組目のゲート制御信号８４は、第二開始制御信号（ＳＴＶ２）８４１と、第二クロック制御信号（ＣＫＶ２）８４２と、第二イネーブル制御信号（ＯＥ２）８４３とからなる。
【００４７】
図４を参照する。一組目のゲート制御信号８２はゲート駆動器４の入力信号であり、ゲート駆動器４によってアクティブマトリクス型有機発光ダイオードパネル２の充電が行われるように制御するために用いられる。二組目のゲート制御信号８４はゲート駆動器４の入力信号であり、ゲート駆動器４によってアクティブマトリクス型有機発光ダイオードパネル２の放電が行われるように制御するために用いられる。ゲート駆動器４の出力信号は、各内部画素駆動回路２０のゲート線２５とそれぞれ接続される。
【００４８】
ソース駆動器６は、ソース制御回路６２と、ソース制御回路６２と電気的に接続されたソース駆動回路６４とからなる。ソース制御回路６２は、タイミングコントローラー８と電気的に接続される。ソース駆動回路６４はアクティブマトリクス型有機発光ダイオードパネル２と電気的に接続される。ソース駆動回路６４は、複数個のソース駆動チップ６６からなる。タイミングコントローラー８は二つのソース制御信号によってソース駆動器６を制御する。前記二つのソース制御信号は、低電圧差動信号（Ｍｉｎｉ＿ＬＶＤＳ）８６及びソース開始制御信号（ＳＴＢ）８７に分けられる。
【００４９】
前記アクティブマトリクス型有機発光ダイオードパネル駆動回路には、更にタイミングコントローラー８と電気的に接続されたマルチプレクサー（ＭＵＸ）１２が設けられる。マルチプレクサー１２は、ハイレベル電圧入力ピン１７・ローレベル電圧入力ピン１８・イネーブル制御信号入力ピン・選択的出力ピンを有する。
【００５０】
プログラマブルガンマ補正バッファ回路チップ１０は、スタティック高電圧ピン（ＳＴＡＴＩＣ＿Ｈ）１６を有する。スタティック高電圧ピン１６上の電圧は、プログラマブルガンマ補正バッファ回路チップ１０の出力ピン１５上の電圧よりも恒常的に高いか、或は等しい。出力ピン１５は、第一から第十四までの出力ピンである。
【００５１】
マルチプレクサー１２のイネーブル制御信号入力ピンはタイミングコントローラー８と電気的に接続され、前記選択的出力ピンはプログラマブルガンマ補正バッファ回路チップ１０のスタティック高電圧ピン１６と電気的に接続される。また、ハイレベル電圧入力ピン１７はハイレベル電圧信号を入力するために用いられ、前記ハイレベル電圧は電源電圧Ｖｄｄである。ローレベル電圧入力ピン１８は、ローレベル電圧信号を入力するために用いられ、前記ローレベル電圧信号は０Ｖである。
【００５２】
図５を参照する。タイミングコントローラー８がソースイネーブル制御信号８８をマルチプレクサー１２へ出力するとともに、ソースイネーブル制御信号８８によって制御されたマルチプレクサー１２が０Ｖ電圧信号をプログラマブルガンマ補正バッファ回路チップ１０のスタティック高電圧ピン１６へ向けて出力した時、プログラマブルガンマ補正バッファ回路チップ１０の出力ピン１５が出力する電圧は０Ｖになり、これにより前記ソース駆動器の出力も０Ｖとなる。更に、データ線２６上の電圧も０Ｖとなる。これにより、ソースイネーブル制御信号８８によってプログラマブルガンマ補正バッファ回路チップ１０を制御して直接的にソース駆動器６の放電機能を実現することが可能になり、放電機能を実現可能な新しいソース駆動器６を開発するためのコストを削減することが出来る。
【００５３】
図６を参照する。本実施例において、一つ一つの前記データフレームは、同等の時間を有する八個のサブデータフレームからなることで、２５５グレースケールを実現するとともに、２Ｔ１Ｃ回路を基礎として、特殊な回路制御を組合わせることによりパルス幅変調方式を実現することが出来る。更に、駆動薄膜トランジスタ（第二薄膜トランジスタ２３）のスレッショルド電圧Ｖｔｈに影響しないため、アクティブマトリクス型有機発光ダイオードパネルの一致性を改善することが出来る。
【００５４】
前記アクティブマトリクス型有機発光ダイオードパネル駆動回路の駆動方式は、パルス幅変調方式であり、そのタイミング図については図７を参照する。ゲート駆動器４の一組目のゲート制御信号８２・二組目のゲート制御信号８４、及びソース駆動器６のソース開始制御信号８７と、プログラマブルガンマ補正バッファ回路チップ１０と接続されたソースイネーブル制御信号８８が互いに組合されることで、一定のサブデータフレームのタイミングにおいて、グレースケール効果を生成することが出来る。また図７において、一組目のゲート制御信号８２は従来の制御信号であり、ソース開始制御信号８７は従来のソース制御信号であるとともに、主にソース駆動器６の信号をアクティブマトリクス型有機発光ダイオードパネル２まで送るために用いられる。同時に、二組目のゲート制御信号８４がソースイネーブル信号８８と組合されることにより、パルス幅変調が実現される。
【００５５】
本実施例において、パルス幅変調方式をアクティブマトリクス型有機発光ダイオードパネル駆動回路の駆動方式として用いることで、第二薄膜トランジスタ２３のスレッショルド電圧Ｖｔｈに影響しないようにすることが出来る。これにより、アクティブマトリクス型有機発光ダイオードパネル２の電流を変化させずに、アクティブマトリクス型有機発光ダイオードパネル２の一致性を高めて、アクティブマトリクス型有機発光ダイオードパネル２の表示品質を向上させる。
【００５６】
（実施例２）
図２から図８までを参照する。本発明が提供するアクティブマトリクス型有機発光ダイオードパネルの駆動方法は、以下の手順を含む。
【００５７】
手順１０１において、アクティブマトリクス型有機発光ダイオードパネル２駆動回路のタイミングコントローラー８は、一組目のゲート制御信号８２をゲート駆動器４に提供する。ゲート駆動器４はタイミングコントローラー８による制御の下で、第一走査信号をアクティブマトリクス型有機発光ダイオードパネル２に提供する。アクティブマトリクス型有機発光ダイオードパネル駆動回路は、アクティブマトリクス型有機発光ダイオードパネル２と、アクティブマトリクス型有機発光ダイオードパネル２と電気的に接続されたゲート駆動器４と、アクティブマトリクス型有機発光ダイオードパネル２と電気的に接続されたソース駆動器６と、ソース駆動器６と電気的に接続されたタイミングコントローラー８と、ソース駆動器６と電気的に接続されたプログラマブルガンマ補正バッファ回路チップ１０とからなる。タイミングコントローラー８は更に、ゲート駆動器４及びプログラマブルガンマ補正バッファ回路チップ１０とそれぞれ電気的に接続される。
【００５８】
アクティブマトリクス型有機発光ダイオードパネル２は、複数個の内部画素駆動回路２０からなる（図３参照）。本発明は従来の２Ｔ１Ｃ駆動回路を基礎として、パルス幅変調の方式を用いてアクティブマトリクス型有機発光ダイオードパネル２を駆動するとともに、一つ一つのデータフレーム全体を同等の時間を有する複数個のサブデータフレームに分けることにより、必要なグレースケールを実現する。更に、合わせて回路制御を行うことにより、駆動薄膜トランジスタ（第二薄膜トランジスタ２３）のスレッショルド電圧Ｖｔｈに影響を与えないようにすることが出来る。一つ一つの内部画素駆動回路２０は、第一薄膜トランジスタ２２と、第二薄膜トランジスタ２３と、蓄積容量２４と、ゲート線２５と、データ線２６とからなる。第一薄膜トランジスタ２２はスイッチ薄膜トランジスタであるとともに、第一ゲートｇ１・第一ドレインｄ１・第一ソースｓ１を有する。第二薄膜トランジスタ２３は駆動薄膜トランジスタであるとともに、第二ゲートｇ２・第二ドレインｄ２・第二ソースｓ２を有する。第一ゲートｇ１はゲート線２５と電気的に接続され、第一ソースｓ１はデータ線２６と電気的に接続され、第一ドレインｄ１は第二ゲートｇ２及び蓄積容量２４の一端と電気的に接続される。蓄積容量２４の他端及び第二ソースｓ２は、駆動電源と接続されるために用いられる。また第二ドレインｄ２は、有機発光ダイオード２７と接続されるために用いられる。
【００５９】
ゲート線２５が選択された時、第一薄膜トランジスタ２２がオンになる。データ線２６の電圧は第一薄膜トランジスタ２２を通して蓄積容量２４を充電し、蓄積容量２４の電圧は第二薄膜トランジスタ２３のドレイン電流を制御する。またゲート線２５が選択されていない時、第一薄膜トランジスタ２２がオフになる。蓄積容量２４に蓄積された電荷は第二薄膜トランジスタ２３の第二ゲートｇ２電圧を維持し続け、これにより第二薄膜トランジスタ２３のフレーム時間内における動作状態が保たれる。
【００６０】
ゲート駆動器４は、一つ一つの内部画素駆動回路２０のゲート線２５といずれも電気的に接続される。ソース駆動器６は、一つ一つの内部画素駆動回路２０のデータ線２６といずれも電気的に接続される。ゲート駆動器４は、ゲート制御回路４２と、ゲート制御回路４２と電気的に接続されたゲート駆動回路４４とからなる。ゲート制御回路４２はタイミングコントローラー８と電気的に接続され、ゲート駆動回路４４はアクティブマトリクス型有機発光ダイオードパネル２と電気的に接続される。ゲート駆動回路４４は複数個のゲート駆動チップ４６からなり、複数個のゲート駆動チップ４６は内部画素駆動回路２０のゲート線２５と電気的に接続されるために用いられる。
【００６１】
図４を参照する。一組目のゲート制御信号８２は、第一開始制御信号８２１と、第一クロック制御信号８２２と、第一イネーブル制御信号８２３とからなる。ゲート駆動器４の出力信号は、各内部画素駆動回路のゲート線２５とそれぞれ接続される。
【００６２】
手順１０２において、タイミングコントローラー８は、低電圧差動信号８６及びソース開始制御信号８７をアクティブマトリクス型有機発光ダイオードパネル２駆動回路のソース駆動器６に提供するとともに、ソースイネーブル制御信号８８をプログラマブルガンマ補正バッファ回路チップ１０に提供する。ソースイネーブル制御信号８８は、プログラマブルガンマ補正バッファ回路チップ１０の出力ハイレベル電圧信号がソース駆動器６へ送られるように制御する。ソース駆動器６は、タイミングコントローラー８及びプログラマブルガンマ補正バッファ回路チップ１０による制御の下で、データ信号をアクティブマトリクス型有機発光ダイオードパネル２に提供する。前記データ信号は、複数個のデータフレームからなり、一つ一つの前記データフレームは同等の時間を有する複数個のサブデータフレームからなる。本実施例において、一つ一つの前記データフレームは、同等の時間を有する八個のサブデータフレームからなる。
【００６３】
ソース駆動器６は、ソース制御回路６２と、ソース制御回路６２と電気的に接続されたソース駆動回路６４とからなる。ソース制御回路６２は、タイミングコントローラー８と電気的に接続される。ソース駆動回路６４はアクティブマトリクス型有機発光ダイオードパネル２と電気的に接続される。ソース駆動回路６４は、複数個のソース駆動チップ６６からなる。
【００６４】
アクティブマトリクス型有機発光ダイオードパネル駆動回路には、更にタイミングコントローラー８と電気的に接続されたマルチプレクサー（ＭＵＸ）１２が設けられる。マルチプレクサー１２は、ハイレベル電圧入力ピン１７・ローレベル電圧入力ピン１８・イネーブル制御信号入力ピン・選択的出力ピンを有する。
【００６５】
プログラマブルガンマ補正バッファ回路チップ１０は、スタティック高電圧ピン（ＳＴＡＴＩＣ＿Ｈ）１６を有する。スタティック高電圧ピン１６上の電圧は、プログラマブルガンマ補正バッファ回路チップ１０出力ピン１５上の電圧よりも恒常的に高いか、或いは等しい。出力ピン１５は、第一から第十四までの出力ピンである。
【００６６】
マルチプレクサー１２のイネーブル制御信号入力ピンは、タイミングコントローラー８と電気的に接続される。選択的出力ピンは、プログラマブルガンマ補正バッファ回路チップ１０のスタティック高電圧ピン１６と電気的に接続される。ハイレベル電圧入力ピン１７は、ハイレベル電圧信号を入力するために用いられ、前記ハイレベル電圧は電源電圧Ｖｄｄである。ローレベル電圧入力ピン１８は、ローレベル電圧信号を入力するために用いられ、前記ローレベル電圧信号は０Ｖである。ソースイネーブル制御信号８８の制御によって、ハイレベル電圧信号或はローレベル電圧信号のいずれかが選択的出力ピンの出力信号として選択される。プログラマブルガンマ補正バッファ回路チップ１０のスタティック高電圧ピン１６が出力する電圧は、出力ピン１５が出力する電圧と変化が一致する。
【００６７】
図５を参照する。タイミングコントローラー８がソースイネーブル制御信号８８をマルチプレクサー１２へ出力するとともに、ソースイネーブル制御信号８８によって制御されたマルチプレクサー１２が０Ｖ電圧信号をプログラマブルガンマ補正バッファ回路チップ１０のスタティック高電圧ピン１６へ向けて出力した時、プログラマブルガンマ補正バッファ回路チップ１０の出力ピン１５が出力する電圧は０Ｖになり、これにより前記ソース駆動器の出力も０Ｖとなる。更に、データ線２６上の電圧も０Ｖとなる。これにより、ソースイネーブル制御信号８８によってプログラマブルガンマ補正バッファ回路チップ１０を制御して直接的にソース駆動器６の放電機能を実現することが可能になり、放電機能を実現可能な新しいソース駆動器６を開発するためのコストを削減することが出来る。
【００６８】
手順１０３において、前記第一走査信号及びデータ信号に基づいて、アクティブマトリクス型有機発光ダイオードパネル２における相対する内部画素駆動回路２０は、対応する蓄積容量２４に対して充電を行い、更に内部画素駆動回路２０と対応する画素を充電する。
【００６９】
上述した手順１０１から手順１０３は、画素充電の過程である。
【００７０】
手順１０４において、タイミングコントローラー８は、二組目のゲート制御信号８４をゲート駆動器４に提供する。ゲート駆動器４はタイミングコントローラー８による制御の下で第二走査信号をアクティブマトリクス型有機発光ダイオードパネル２に提供する。
【００７１】
二組目のゲート制御信号８４は、第二開始制御信号８４１と、第二クロック制御信号８４２と、第二イネーブル制御信号８４３とからなる。
【００７２】
手順１０５において、ソースイネーブル制御信号８８は、プログラマブルガンマ補正バッファ回路チップ１０の出力ローレベル電圧信号がソース駆動器６へ送られるように制御する。第二走査信号に基づいて、ソース駆動器６はタイミングコントローラー８及びプログラマブルガンマ補正バッファ回路チップ１０による制御の下で、内部画素駆動回路２０における蓄積容量２４が放電するように制御し、更に内部画素駆動回路２０と対応する画素放電を制御する。
【００７３】
上述した手順１０４から手順１０５は、画素放電の過程である。前記充電・放電の時間間隔は、タイミングコントローラー８によって制御されることが可能であり、これによりパルス幅変調が実現される。
【００７４】
図６を参照する。本実施例において、一つ一つの前記データフレームは、同等の時間を有する八個のサブデータフレームからなることで、２５５グレースケールを実現するとともに、２Ｔ１Ｃ回路を基礎として、特殊な回路制御を組合わせることによりパルス幅変調方式を実現することが出来る。更に、駆動薄膜トランジスタ（第二薄膜トランジスタ２３）のスレッショルド電圧Ｖｔｈに影響しないため、アクティブマトリクス型有機発光ダイオードパネル２の一致性を改善することが出来る。
【００７５】
前記アクティブマトリクス型有機発光ダイオードパネル駆動回路の駆動方式は、パルス幅変調方式であり、そのタイミング図については図７を参照する。ゲート駆動器４の一組目のゲート制御信号８２・二組目のゲート制御信号８４、及びソース駆動器６のソース開始制御信号８７と、プログラマブルガンマ補正バッファ回路チップ１０と接続されたソースイネーブル制御信号８８が互いに組合されることで、一定のサブデータフレームのタイミングにおいて、グレースケール効果を生成することが出来る。また図７において、一組目のゲート制御信号８２は従来の制御信号であり、ソース開始制御信号８７は従来のソース制御信号であるとともに、主にソース駆動器６の信号をアクティブマトリクス型有機発光ダイオードパネル２まで送るために用いられる。同時に二組目のゲート制御信号８４がソースイネーブル信号８８と組合されることにより、パルス幅変調が実現される。
【００７６】
総じて言えば、本発明のアクティブマトリクス型有機発光ダイオードパネルの駆動回路及び駆動方法は、従来の２Ｔ１Ｃ駆動回路を基礎として更にタイミングコントロール回路とプログラマブルガンマ補正バッファ回路が設けられてゲート駆動器とソース駆動器を制御することで、前記ソース駆動器による直接的な放電機能を実現し、これにより放電機能を実現可能な新しいソース駆動器を開発するためのコストを削減する。同時に、パルス幅変調方式をアクティブマトリクス型有機発光ダイオードパネル駆動回路の駆動方式として用いるとともに一つのデータフレーム全体を時間が同等の八個のサブデータフレームに分けることで、２５５グレースケールを実現することが可能であり、加えて、アクティブマトリクス型有機発光ダイオードパネルのスレッショルド電圧Ｖｔｈに影響しないため、アクティブマトリクス型有機発光ダイオードパネルの電流を変化させず、アクティブマトリクス型有機発光ダイオードパネルの一致性を高めて、アクティブマトリクス型有機発光ダイオードパネルの表示品質を向上させることが出来る。
【００７７】
以上の記述により、本発明の分野の一般的な技術員は、本発明の技術手法と構想に基づいて各種の変更と変形を加えることが可能であり、これらの変更と変形は、いずれも本発明の権利要求の保護範囲に属する。
【符号の説明】
【００７８】
（従来技術）
１００ 薄膜トランジスタ
２００ 薄膜トランジスタ
３００ 蓄積容量
（本発明）
１０   プログラマブルガンマ補正バッファ回路チップ（Ｇａｍｍａ  ＩＣ）
１２   マルチプレクサー（ＭＵＸ）
１５   出力ピン
１６   スタティック高電圧ピン（ＳＴＡＴＩＣ＿Ｈ）
１７   ハイレベル電圧入力ピン
１８   ローレベル電圧入力ピン
２     アクティブマトリクス型有機発光ダイオードパネル
２０   内部画素駆動回路
２２   第一薄膜トランジスタ
２３   第二薄膜トランジスタ
２４   蓄積容量
２５   ゲート線
２６   データ線
２７   有機発光ダイオード
４     ゲート駆動器
４２   ゲート制御回路
４４   ゲート駆動回路
４６   ゲート駆動チップ
６     ソース駆動器
６２   ソース制御回路
６４   ソース駆動回路
６６   ソース駆動チップ
８     タイミングコントローラー
８２   一組目のゲート制御信号
８２１ 第一開始制御信号（ＳＴＶ）
８２２ 第一クロック制御信号（ＣＫＶ）
８２３ 第一イネーブル制御信号（ＯＥ）
８４   二組目のゲート制御信号
８４１ 第二開始制御信号（ＳＴＶ２）
８４２ 第二クロック制御信号（ＣＫＶ２）
８４３ 第二イネーブル制御信号（ＯＥ２）
８６   低電圧差動信号（Ｍｉｎｉ＿ＬＶＤＳ）
８７   ソース開始制御信号（ＳＴＢ）
８８   ソースイネーブル制御信号
ｄ１   第一ドレイン
ｄ２   第二ドレイン
ｇ１   第一ゲート
ｇ２   第二ゲート
ｓ１   第一ソース
ｓ２   第二ソース
【図１】
2017504049.tif 000003
【図２】
2017504049.tif 000004
【図３】
2017504049.tif 000005
【図４】
2017504049.tif 000006
【図５】
2017504049.tif 000007
【図６】
2017504049.tif 000008
【図７】
2017504049.tif 000009
【図８】
2017504049.tif 000010
【国際調査報告】
2017504049.tif 000011
2017504049.tif 000012
2017504049.tif 000013
2017504049.tif 000014